(57)【要約】【課題】画像センサを有するカメラ付きの携帯用電子機器のハウジング、写真機器システム、及び付属品を提供する。【解決手段】ハウジング、写真機器システム、および付属品（１０）は、携帯用電子機器の少なくとも一部分を受容する機能を持つハウジングを規定する第１のハウジング要素（１２）及び第２のハウジング要素（１４）を有する。第１のハウジング要素（１２）及び第２のハウジング要素（１４）は互いに移動可能に接続され、その中に挿入される携帯用電子機器の寸法に着脱可能に嵌合する。ハウジング、写真機器システム、及び付属品（１０）は、使用時に画像センサの動作を制御するユーザ入力機器（２２、２４、２６、２８）を備える。【選択図】図１
2019515518.tif 000002
【特許請求の範囲】
【請求項１】
画像センサを有するカメラ付きの携帯用電子機器のハウジングであって、
携帯用電子機器の少なくとも一部分を受容する機能を持つハウジングを規定し、互いに移動可能に接続され、その結果、前記ハウジングの内部寸法は変化可能であり、前記ハウジングに挿入される前記携帯用電子機器の外形に着脱可能に嵌合する、第１のハウジング要素及び第２のハウジング要素と、
前記携帯用電子機器を受容した状態で使用される間、前記画像センサの動作を制御するユーザ入力機器と、を備える、ハウジング。
【請求項２】
前記第１のハウジング要素及び前記第２のハウジング要素は、
前記携帯用電子機器の少なくとも一部分が前記ハウジングに受容され、使用される時、
前記携帯用電子機器が前記ハウジングの受容側にある開放側部を被覆し、かつ前記ハウジングから突出するように着脱可能に嵌合する前記開放側部を有する前記ハウジングを規定する、請求項１に記載のハウジング。
【請求項３】
前記携帯用電子機器の少なくとも一つのカメラレンズは、使用時、前記ハウジングを越えて突出する、請求項２に記載のハウジング。
【請求項４】
前記第１のハウジング要素及び前記第２のハウジング要素は互いに摺動可能に接続される、請求項１から３の何れか一項に記載のハウジング。
【請求項５】
前記第１のハウジング要素の少なくとも一部分は前記第２のハウジング要素の中に受容可能であり、その逆もまた成り立つ、請求項１から４の何れか一項に記載のハウジング。
【請求項６】
前記第１のハウジング要素及び前記第２のハウジング要素は、前記ハウジングの中に携帯用電子機器を保持する保持構造を備える、請求項１から５の何れか一項に記載のハウジング。
【請求項７】
前記保持構造は、前記第１のハウジング要素及び前記第２のハウジング要素に形成された対向する溝を備える、請求項５に記載のハウジング。
【請求項８】
前記ハウジングは前記携帯用電子機器の最も大きな面を被覆し、前記携帯用電子機器の前記最も大きな面の反対側の大きな面を露出する開放側を有する、請求項１から７の何れか一項に記載のハウジング。
【請求項９】
前記携帯用電子機器の最大３辺が、使用時、前記ハウジングの中に受容される、請求項１から８の何れか一項に記載のハウジング。
【請求項１０】
前記ハウジングは前記携帯用電子機器より寸法が短い、請求項１から９の何れか一項に記載のハウジング。
【請求項１１】
使用時、前記第１のハウジング要素と前記第２のハウジング要素との間に、前記携帯用電子機器が弾性的に保持されるように、前記第１のハウジング要素及び前記第２のハウジング要素は互いに付勢される、請求項１から１０の何れか一項に記載のハウジング。
【請求項１２】
前記第１のハウジング要素及び／又は前記第２のハウジング要素は、前記ハウジングを保持するための把持部を規定する形状であり、
前記把持部は、ユーザ及び／又は前記携帯用電子機器に対向しない側の前記ハウジング表面に形成される、請求項１から１１の何れか一項に記載のハウジング。
【請求項１３】
前記把持部は、隆起部分又は深さ部分が増加した前記ハウジングの一部分を備える、請求項１２に記載のハウジング。
【請求項１４】
前記ハウジングは、使用時に、前記携帯用電子機器の写真機能を作動させる、及び／又は、前記携帯用電話機器の写真設定を変化させる少なくとも一つの手動アクチュエータを備える、請求項１から１３の何れか一項に記載のハウジング。
【請求項１５】
前記少なくとも一つの手動アクチュエータは、使用者が写真設定を選択するための回転可能な回転輪を備える、請求項１４に記載のハウジング。
【請求項１６】
前記ハウジングは、前記画像センサ及び複数の前記回転輪の動作のためのシャッター制御アクチュエータを備える、請求項１５に記載のハウジング。
【請求項１７】
前記少なくとも一つの手動アクチュエータは、前記携帯用電子機器の写真ソフトウェアアプリケーションのホワイトバランス、ズーム、前記画像センサの光感度、画像取込みの継続時間、写真モード選択、手動フォーカス、露出ブラケット、露出補償、低速度及び／又は遅延、高解像度（ＨＤＲ）、フラッシュ、低光量、及び／又は顔認識の設定の何れか、又は何れかの組合せを変更可能に構成される、請求項１４から１６の何れか一項に記載のハウジング。
【請求項１８】
前記少なくとも一つの手動アクチュエータは、写真モードを切り替えるために前記携帯用電子機器の画像取込み設定を同時に変更可能に構成される、請求項１４から１７の何れか一項に記載のハウジング。
【請求項１９】
前記ハウジングは、支持アーム、支持脚、及び／又は少なくとも一つのレンズを含む補助的なカメラ部品を前記ハウジングに着脱可能に取り付ける取り付け具を備える、請求項１から１８の何れか一項に記載のハウジング。
【請求項２０】
請求項１から１９の何れか一項に記載の前記ハウジングと、画像センサを有する携帯用電子機器と、コントローラと、制御信号受信機とを備える写真機器システムであって、前記ハウジングは前記画像センサによる画像取込みの動作を制御するための前記制御信号受信機に制御信号を出力するようになされた出力回路を備え、前記携帯用電子機器は、前記コントローラの動作に対する機械可読な命令を備えて前記出力回路による前記制御信号の出力に応じて複数の画像取込み制御パラメータを実行する、写真機器システム。
【請求項２１】
請求項１４から１９の何れか一項に記載の前記ハウジングと、画像センサを有する携帯用電子機器と、コントローラと、制御信号受信機とを備える写真機器システムであって、前記ハウジングは前記画像センサによる画像取込みの動作を制御するための前記制御信号受信機に制御信号を出力するようになされた出力回路を備え、前記携帯用電子機器は、前記コントローラの動作に対する機械可読な命令を備えて前記出力回路による前記制御信号の出力に応じて複数の画像取込み制御パラメータを実行し、
前記手動アクチュエータは、前記複数の画像取込み制御パラメータの１つ又は複数をエンドユーザにより選択的に割り当て可能とする、写真機器システム。
【請求項２２】
前記コントローラは、前記携帯用電子機器の画面にユーザインターフェースを生成し、１つ又は複数の前記画像取込み制御パラメータへ、前記手動アクチュエータの１つ又は複数の作動モードのマッピングを可能にするソフトウェアアプリケーションを実行する、請求項２０又は２１に記載の写真機器システム。
【請求項２３】
前記機械可読な命令は多数の写真制御のためのユーザ制御を提供し、
前記ユーザ制御のうち少なくともいくつかの前記ユーザ制御は前記ハウジングの前記手動アクチュエータを経由して制御可能であり、
前記ユーザ制御のうち前記少なくともいくつかのユーザ制御を除いたその他の前記ユーザ制御のいくつかは前記携帯用電子機器のユーザインターフェースを経由して制御可能である、請求項２０から２２の何れか一項に記載の写真機器システム。
【請求項２４】
マイクロホンと、画像センサと、コントローラとを有する携帯用電子機器の付属品であって、
手動アクチュエータと、
前記手動アクチュエータのユーザ作動に応じて、前記マイクロホンを経由して前記コントローラによる判定処理に供するための音響信号を出力するようになされた音響信号エミッタと、を備え、
前記コントローラは前記音響信号の判定処理の結果に応じて前記携帯用電子機器を作動させる、付属品。
【請求項２５】
前記音響信号は遠方で聞こえる超音速、超音波及び／又は亜超音波及び／又は亜超音速スペクトルにある音響信号である、請求項２４に記載の付属品。
【請求項２６】
前記音響信号は１０、１５、１６又は１７ｋＨｚより大きい周波数を有する、請求項２４又は２５に記載の付属品。
【請求項２７】
各前記音響信号は複数のトーンを備え、前記コントローラは前記複数のトーンを、前記携帯用電子機器の動作の命令として認識する、請求項２４から２６の何れか一項に記載の付属品。
【請求項２８】
前記携帯用電子機器のための着脱可能なケーシングを備える、請求項２４から２７の何れか一項に記載の付属品。
【請求項２９】
３０ｋＨｚまでの周波数を使用して前記携帯用電子機器と通信する、請求項２４から２８の何れか一項に記載の付属品。
【請求項３０】
１７ｋＨｚから２５ｋＨｚの間の周波数を使用して前記携帯用電子機器と通信する、請求項２４から２９の何れか一項に記載の付属品。
【請求項３１】
前記手動アクチュエータを複数備え、
各前記手動アクチュエータは異なる周波数、又は異なる範囲の周波数内で音響出力信号の出力を引き起こす、請求項２４から３０の何れか一項に記載の付属品。
【請求項３２】
各前記手動アクチュエータのための前記音響出力信号の周波数の値又は範囲は、更なる各前記手動アクチュエータのものから少なくとも最小所定値の５０又は１００Ｈｚだけ間隔を有する、請求項３１に記載の付属品。
【請求項３３】
前記手動アクチュエータは複数の方法で作動可能であり、前記手動アクチュエータのそれぞれの異なる作動は、前記音響信号エミッタによる前記音響信号の１つ又は複数の異なる周波数の出力を引き起こす、請求項２４から３２の何れか一項に記載の付属品。
【請求項３４】
前記手動アクチュエータは、複数の方向において、及び／又は複数の異なるレベルの作動に対し作動可能である、請求項３３に記載の付属品。
【請求項３５】
前記手動アクチュエータは、３つ以上の作動モードを有する、請求項２４から３４の何れか一項に記載の付属品。
【請求項３６】
前記手動アクチュエータは回転輪を備える、請求項２４から３５の何れか一項に記載の付属品。
【発明の詳細な説明】
【技術分野】
【０００１】
本発明は写真機器としての機能を改善する携帯用電子機器のハウジング、写真機器システム、及び付属品に関する。
【背景技術】
【０００２】
携帯用電子機器のケースは、普通、携帯用電子機器、特に携帯電話を使用中の損傷から保護するのに使用され、例えば、携帯用電子機器がユーザにより落とされた時に被る損傷を防止するのに使用される。
その様な保護機能を提供するため、携帯用電子機器のケースは通常、機器の画面を見づらくせずに携帯用電子機器を収納できる比較的剛性の高い材料から作製される。
しかし、その様なケースは、特定の携帯用電子機器に対応した特注品である。その結果特定のケースしか特定の携帯用電子機器に適合しない。
例えばビデオゲームコントローラ等として機能する等の、携帯用電子機器と相互作用してその機能又は使いやすさを増加させるケースも提案されている。
しかし、物理的な電気接続を要するケースは、特定の携帯用電子機器に対応した特注品であり、その結果特定のケースしか特定の携帯用電子機器に適合しない。
携帯電話の既存のタッチスクリーンインターフェースを使用せずにコントローラのボタンを介してユーザ命令入力を行う無線のビデオゲームコントローラの例では、コントローラと携帯電話の通信は通常、ブルートゥース（登録商標）による無線信号を使用して実施される。
【０００３】
近年の携帯電話のカメラ技術は、改良により、多くのユーザにとって、携帯用カメラに取って代わるものとなった。
しかし、携帯電話は幅広い機能に適するよう設計されているため、携帯電話のカメラ機能は、携帯電話本来の汎用的機能を損なう程の最適化はなされないため、機能は十分最適化されてはいない。
【０００４】
携帯電話のハウジングに設けられたカメラレンズに取り付けるように配置された、携帯電話のレンズ付属品が開示されている。その様なレンズ付属品は、特定の写真機能需要に対応して携帯電話の適応性を高める。
しかし、上記レンズ付属品のカメラ制御機能は、携帯電話の画面上のユーザインターフェースにより提供され得る機能のみに制限されている。
更に、その様なレンズは通常取り付けにくく、携帯電話自体の人間工学的使いやすさを損なっている。
【発明の概要】
【発明が解決しようとする課題】
【０００５】
出願人らは従来技術に関連する上述の及び／又はその他の欠点を克服する、又は実質的に緩和する、カメラ付きの携帯用電子機器のハウジング、写真機器システム、及び付属品を発明した。
【課題を解決するための手段】
【０００６】
（本発明の第１の態様）
本発明の第１の態様によると、画像センサを有するカメラ付きの携帯用電子機器のハウジングであって、
携帯用電子機器の少なくとも一部分を受容するハウジングを規定し、互いに移動可能に接続され、その結果、ハウジングの内部寸法は変化可能であり、前記ハウジングに挿入される携帯用電子機器の外形に着脱可能に嵌合する、第１のハウジング要素及び第２のハウジング要素と、
携帯用電子機器を受容した状態で使用される間、画像センサの動作を制御するユーザ入力機器と、を備える、ハウジングが設けられる。
【０００７】
ハウジングの内部寸法は、様々な大きさの携帯用電子機器に嵌合するようハウジングに適合するように変更出来る。よって、各携帯用電子機器に対する特注のハウジングの必要性が生じるのを回避し、幅広い又はユニバーサルな機器適合性を有するハウジングを提供する。
【０００８】
ハウジングは、例えば携帯電話又はタブレット等の、任意の適した携帯用電子機器に使用出来る。
【０００９】
第１のハウジング要素と第２のハウジング要素が互いに近づく又は離れる動きは、ハウジングの内部体積をそれぞれ減少又は増加出来る。
【００１０】
第１のハウジング要素及び第２のハウジング要素は使用時、その中の携帯用電子機器を把持、又はそれに精密に嵌合するように調節され得る。
ハウジングは、例えば機器の対向する長手方向の端部等の、機器の対向する側端を把持、又はそれに精密に嵌合し得る。
【００１１】
第１のハウジング部分及び／又は第２のハウジング部分は付勢されても良い。
第１のハウジング部分及び第２のハウジング部分の何れかは、他方のハウジング部分に向かって、例えば閉鎖状態、又はハウジングの最小内部体積の状態等になるように付勢されても良い。
ハウジングは、付勢力を提供するばねを備えても良い。
付勢機構は、第１ハウジング及び第２ハウジングを、例えばそれらの間にある携帯用電子機器の上に閉じた時に、第１ハウジング及び第２ハウジングを選択された相対位置に保持するラッチを使用してもしなくても良い。
【００１２】
第１のハウジング要素及び第２のハウジング要素は、例えば画像センサを備える携帯用電子機器の少なくとも一部分が、ハウジングに受容され、使用される時、携帯用電子機器が部分ハウジングの受容側にある開放側部を被覆し、かつハウジングから突出するように着脱可能に嵌合する開放側部を有するハウジングを規定し得る。
これは、ハウジングが、例えば携帯用電子機器を使用して写真を撮影できる等の携帯用電子機器の通常の機能を妨げることなしに様々な大きさの携帯用電子機器に嵌合できるため、有益であり得る。
【００１３】
第１のハウジング要素及び／又は第２のハウジング要素は、携帯用電子機器の画像センサを露出するような形状をとり得る。
ハウジング及び／又はハウジングは、携帯用電子機器の少なくとも端部が筐体の中に取り付けられた時に筐体から突出するように、携帯用電子機器の長さより短い長さ寸法であっても良い。
ハウジング及び／又はハウジングの長さ寸法は、例えばそれにより機器の長さの大部分を包囲できるように、携帯用電子機器の３分の１又は半分より大きくなり得る。
【００１４】
ハウジングは、一端が開放し、ほぼ矩形の形状であり得る。
これは携帯用電子機器が、ハウジングの開放端を経由してハウジングの中に摺動出来るため、有益であり得る。
第１のハウジング要素及び第２のハウジング要素は、一端が開放されたほぼ矩形のハウジングを規定し得る。
【００１５】
携帯用電子機器の多くとも３辺は使用時、ハウジングの中に受容され得る。
携帯用電子機器の画面は使用時、携帯用電子機器がハウジングの中に受容された時、ユーザがアクセス可能であり得る。
【００１６】
携帯用電子機器の少なくとも１つの画像センサ及び／又はカメラレンズは使用時、ハウジングから外側に延伸し得る。
【００１７】
携帯用電子機器及び／又は携帯用電子機器のハウジングは、長さ及び側面及び／又は幅寸法を有し得る。
第１のハウジング要素及び第２のハウジング要素は横方向に選択的に調節可能であっても良い。
【００１８】
第１のハウジング要素及び第２のハウジング要素は、互いの相対的な移動を可能にする協働構造を備え得る。
第１のハウジング要素及び第２のハウジング要素は、互いに摺動可能に接続され得る。
第１のハウジング要素及び第２のハウジング要素は、例えば対応する軌道構造、又は細長い凹部の中に受容された突起等の、第１のハウジング要素と第２のハウジング要素の摺動を可能にする協働構造を備え得る。
【００１９】
第１のハウジング要素の少なくとも一部分は第２のハウジング要素の中に受容され得、その逆も成り立つ。
第１のハウジング要素は第２のハウジング要素の少なくとも一部分を受容する溝を備え得、その逆も成り立つ。
【００２０】
ハウジングの最小内部寸法は、第１のハウジング要素及び第２のハウジング要素の長い方の内部幅及び／又は長さにほぼ対応し得る。
第１のハウジング要素及び第２のハウジング要素のうち、短い方のハウジング要素は長い方のハウジング要素の輪郭の中に嵌合し得る。
【００２１】
第１のハウジング要素及び第２のハウジング要素の相対的な位置は選択的に固定及び／又は取り外し可能であり得、その結果、携帯用電子機器は第１のハウジング要素と第２のハウジング要素の間に保持出来る。
ケースは、第１のハウジング要素及び第２のハウジング要素の相対的な位置を着脱可能に固定する固定及び／又は留め構造を備え得る。
【００２２】
第１のハウジング要素及び第２のハウジング要素は、対向する平行な壁を備え得る。
携帯用電子機器は使用時、対向する平行な壁の間に保持され得る。
【００２３】
第１のハウジング要素及び第２のハウジング要素の何れか又は両方は、携帯用電子機器を、ハウジングの中に保持する保持構造を備え得る。
保持構造は、対向する保持構造であっても良い。
保持構造は、対向する平行な壁に配置されても良い。
【００２４】
複数の、又は各々の保持構造は、対応するハウジング要素に溝、縁又はタブを備えても良い。
対向する保持構造が、例えば対向する平行な壁に形成される等、第１ハウジング要素及び第２ハウジング要素に設けられても良い。
複数の、又は各々の保持構造は、ハウジングの後面に設けられても良い。
対向する保持構造は、ハウジングの開放された後面を規定するように間隔を有しても良い。
【００２５】
ハウジングは携帯用電子機器の厚さを収容できる深さ寸法を有し得る。
深さ寸法は、ハウジングの前部の壁と複数の又は各々の保持構造の間に規定され得る。
【００２６】
ハウジングは、例えばユーザによりハウジングの把持を容易にする部分等の把持部を備え得る。
把持部はハウジングの残りの部分より大きい深さ寸法を有し得る。
把持部はハウジングの端部に向かって配置され得る。
【００２７】
第１のハウジング要素及び／又は第２のハウジング要素は把持部を規定するような形状であり得る。
第１のハウジング要素及び第２のハウジング要素の各々は把持部の少なくとも一部分を規定し得る。
把持部は使用時に、ユーザの指の少なくとも１本を受容する形状であっても良く、例えば使用時に、ユーザの指の４本全てを受容する形状であっても良い。
把持部の外面は湾曲、曲線及び／又は球状形状でも良く、その結果例えば使用時、ユーザの指が把持部の周りを収納しても良い。
【００２８】
把持部は、例えば使用時に画像センサが取込み画像に面する方向等の、ハウジングの前面に突出し得る。
把持部は使用時、ユーザと反対側のハウジングの表面に形成され、及び／又はそこから外側に突出し得る。
把持部は、ハウジングの長さ寸法及び／又はハウジングに沿って途中まで延伸し得る。
【００２９】
ハウジングは、携帯用電子機器と通信するための、少なくとも１つの送信機及び／又はエミッタ及び／又は少なくとも１つの受信機を備え得る。
ハウジングは、その電子部品及び／又は回路のための更なる内部ハウジングを備え得る。
更なる筐体は把持部に配置され得る。
更なる筐体は、例えば少なくとも使用時、完全に収納されても良い。
【００３０】
ユーザ入力機器は使用時、携帯用電子機器の１つ又は複数の写真機能を作動させる又は制御するため、及び／又は携帯用電子機器の写真設定を変えるための少なくとも１つの手動アクチュエータを備える。
複数の、又は各々の手動アクチュエータは、携帯用電子機器で動作する写真及び／又は動画撮影ソフトウェアアプリケーションの専用の変数を制御出来る、及び／又は使用時に、携帯用電子機器のソフトウェアアプリケーション設定を変えるためのものである。
少なくとも１つの手動アクチュエータは、機能を作動させる、及び／又は使用時に、携帯用電子機器のカメラアプリケーションの設定を変えるように構成され得る。
【００３１】
ユーザ入力機器は画像センサ及び／又は関連する光源の動作を制御する少なくとも１つの手動アクチュエータを備える。
１つ又は複数の手動アクチュエータは、画像取込み（例えば瞬間の画像取込みを動作させる）、露出継続時間、露出タイミング及び／又は遅延、フォーカス、画像取込み解像度の何れか、又は何れかの組合せを制御し得る。
【００３２】
少なくとも一つの手動アクチュエータは、携帯用電子機器の写真ソフトウェアアプリケーションの、ホワイトバランス、ズーム、画像センサの光感度（即ちＩＳＯ）、画像取込みの継続時間（即ちシャッター速度に似ている）、モード及び／又は機能選択、手動フォーカス、低光量インジケータ、露出ブラケット、露出補償、タイマー、時間遅延、高解像度（ＨＤＲ）、リセット、フラッシュ、低光量、位置、顔認識の設定の何れか、又は何れかの組合せを変えるように構成され得る。
【００３３】
少なくとも一つの手動アクチュエータは、携帯用電子機器の、例えば写真ソフトウェアアプリケーション等の画像取込み設定の集合といったモードを切り替えるように構成され得る。
【００３４】
少なくとも一つの手動アクチュエータは、触覚フィードバックをユーザへ提供する、及び／又はユーザに設定の変化を示すための視覚的な表示を備えることが出来る。
ダイヤルの設定が複数の及び／又は各々の手動アクチュエータに提供され得る。
【００３５】
少なくとも一つの手動アクチュエータは、少なくとも一つの手動アクチュエータが例えば完全押下げの時など押下げされた時、画像センサを使用して、例えば写真を取る又は動画記録を開始する、といった画像取込みを作動させるように構成され得る。
少なくとも一つの手動アクチュエータは、少なくとも一つの手動アクチュエータが部分的に押下げされた時、画像取込みのフォーカス設定を変えるように構成され得る。
【００３６】
少なくとも一つの手動アクチュエータの機能は、例えば携帯用電子機器のソフトウェアアプリケーションを使用して、ユーザが構成可能であっても良い。
ユーザは１つ又は複数の写真機能を、少なくとも一つの手動アクチュエータに割り当てても良く、その機能は携帯用電子機器の写真ソフトウェアアプリケーションを経由して制御される写真変数に対応し得る。
【００３７】
ユーザ入力機器、又はその手動アクチュエータの作動は、使用時に、無線信号送信及び／又はハウジングに保持された携帯用電子機器との通信を生じ得る及び／又は作動させ得る。
【００３８】
ハウジングは、例えば音響及び／又は無線の信号送信機等の信号送信機及び／又は変換器を備え得る。
携帯用電子機器は、例えば音響（マイクロホン）及び／又は無線受信機等の対応する受信機及び／又は変換器を備え得る。
１０ｋＨｚから３０ｋＨｚの周波数範囲が音響信号の通信に使用出来る。
【００３９】
ハウジングは遠方で聞こえる亜超音波及び／又は超音波スペクトルである音響信号の放出を使用して携帯用電子機器と通信出来る。
ハウジングは、例えば１７ｋＨｚから２５ｋＨｚといった１５又は１７ｋＨｚより大きい周波数を使用して携帯用電子機器と通信出来る。
ハウジングは１８ｋＨｚから２０ｋＨｚの周波数を使用して携帯用電子機器と通信しても良い。
ハウジングは約１９ｋＨｚの周波数を使用して携帯用電子機器と通信しても良い。
【００４０】
ハウジングは、例えばブルートゥース（登録商標）又は近距離無線通信（ＮＦＣ）等の無線信号を経由して携帯用電子機器と通信出来る。
【００４１】
ハウジングは、ハウジングと携帯用電子機器の間に物理的な電気接続が無いように携帯用電子機器を保持出来る。
【００４２】
少なくとも一つの手動アクチュエータはユーザにより回転可能な回転輪、及び／又はユーザにより押下げ可能なボタンを備え得る。
ハウジングは、各々が異なる機能を実行するように構成可能な複数の手動アクチュエータを備え得る。
ハウジングは複数の異なる種類の手動アクチュエータを備え得る。
【００４３】
ハウジングは、例えば１つ又は複数の補助的なカメラ、照明及び／又は支持部品等の、付属品に補助的部品を着脱可能に取りける取り付け具を備えても良い。
ハウジングは、少なくとも一つのレンズ及び／又はフラッシュバルブを取り付ける取り付け具を備えても良い。
取り付け具は機械的コネクタを備えても良い。
取り付け具は電気的コネクタを備えても良い。
取り付け具はホットシューマウントを備えても良い。
【００４４】
ハウジングは、画像取込みのためにハウジングを安定した方向に支持するための、例えば三脚又は固定及び／又は調節可能なアーム等の、１つ又は複数のアーム又は脚を有する支持部を取り付けるための取り付け具を備え得る。
【００４５】
ハウジングは、例えばリストストラップ、ネックストラップ等のコード又はひものためのコネクタを備え得る。
ハウジングが開放端部を有するハウジングを備える例では、コネクタはハウジングの開放端部の近く又は開放端部に設けられても良い。
これは、機器を着用した時又はひもで運ぶ時、機器が開放端部から確実に落下を防ぐ助けとなる。
【００４６】
ハウジングは、携帯用電子機器の着脱可能なケーシングとして規定され得る。
しかし、本発明は、ハウジングが保護ケーシングを提供することを意図せず、携帯電話の写真機能を人間工学的方法で補完する特注の付属品であるという点で、通常の電話ケースとは異なることに留意されたい。
【００４７】
携帯用電子機器は通常、例えば内部の電子機器の収納機能を提供する、それ自体のケーシング又はカバーを備え、それは機器自体の保護外殻又はそれに取り付けられる着脱可能な保護ケーシングを備え得る。
【００４８】
携帯用電子機器は、例えば第１のレンズ及び／又は永久レンズ等の画像取込みセンサに対して配置されるレンズを備え得る。
ハウジングは、第１のレンズを選択的に覆うように配置された、更なるレンズのための取り付け具を備え得る。
ハウジングは第１のレンズを覆うために選択的に交換され得る複数の更なるレンズのための取り付け具を備えても良い。
複数の、又は各々の更なるレンズは、ユーザにより選択的に回動され、画像センサの視界に出入りできるように回動可能に取り付けられても良い。
【００４９】
（本発明の第２の態様）
本発明の第２の態様によると、画像センサと、１つ又は複数の画像取込みパラメータを制御するコントローラと、を有するカメラ付きの携帯用電子機器の付属品であって、手動アクチュエータと、手動アクチュエータのユーザ操作に応じて、コントローラにより１つ又は複数の画像取込みパラメータの制御のための音響信号を出力するようになされた音響信号送信機と、を備えることを特徴とする、付属品が提供される。
【００５０】
音響信号は遠方で聞こえる超音速、超音波及び／又は亜超音波及び／又は亜超音速スペクトルであっても良い。
音響信号は１０、１５、１６又は１７ｋＨｚより大きい周波数を有しても良い。
各音響信号は複数のトーンを、例えば連続で備えても良い。
携帯用電子機器は、複数のトーンを、例えば単一のトーンではなく、指示としての複数のトーンとして認識し得る。
【００５１】
付属品は、携帯用電子機器のための着脱可能なケーシングを備え得る。
付属品は使用時、携帯用電子機器を少なくとも部分的に収納するように構成されても良い。
【００５２】
付属品は１７ｋＨｚから２５ｋＨｚの間の周波数を使用して携帯用電子機器と通信出来る。
付属品は１８ｋＨｚから２０ｋＨｚの間の周波数を使用して携帯用電子機器と通信出来る。
付属品は約１９ｋＨｚの周波数を使用して携帯用電子機器と通信出来る。
【００５３】
これにより、付属品は使用時、携帯用電子機器のマイクロホンを経由して携帯用電子機器と通信出来る。
【００５４】
付属品は複数の手動アクチュエータを備え得る。
各手動アクチュエータは異なる周波数、又は異なる範囲及び／又は帯域の周波数内で音響出力信号の出力を引き起こし得る。
各手動アクチュエータの音響出力周波数の値又は範囲は、更なる各アクチュエータのものから所定値だけ間隔を有し得る。
所定の間隔は０．１ｋＨｚ、０．１５ｋＨｚ又は０．２ｋＨｚより大きくても良い。
所定の間隔は、例えば０．５、０．４又は０．３ｋＨｚより少ない等、１ｋＨｚより小さくても良い。
【００５５】
複数の、又は各々の手動アクチュエータは、例えば複数の方向及び／又は複数の異なるレベル、程度又は作動量等の、複数の方法及び／又はモードで作動可能である。
アクチュエータのそれぞれの異なる作動は、送信機による音響信号の異なる周波数の出力を引き起こし得る。
各周波数は、そのアクチュエータの他の周波数から所定量だけ間隔を有し得る。
所定の間隔は上記に規定した通りであっても良い。
単一のアクチュエータの各周波数は、アクチュエータの所定の周波数帯域又は範囲内に含まれ得る。
【００５６】
複数の、又は各々のアクチュエータは３つ以上の作動モードを有し得る。
少なくとも一つのアクチュエータは、例えば回転輪等の回動及び／又は回転可能な部材を備え得る。
少なくとも一つのアクチュエータは、例えば可変の量だけ押下げられるボタンを備え得る。
少なくとも一つのアクチュエータは、ボタンの方式で押下げ可能な回転輪を有し得る。
【００５７】
（本発明の第３の態様）
本発明の第３の態様によると、画像センサと、制御信号受信機と、データ格納部と、コントローラとを有する携帯用電子機器と、１つ又は複数の手動アクチュエータと、画像センサによる画像取込みの動作を制御するための受信機に制御信号を出力するようになされた出力回路とを有する付属品と、を備えた写真機器システムであって、
データ格納部は、複数の画像取込み制御パラメータを実行するためのコントローラの動作に対する機械可読命令備え、
手動アクチュエータは、複数の画像取込み制御パラメータの１つ又は複数をエンドユーザにより選択的に割り当て可能である、写真機器システムが提供される。
【００５８】
コントローラは、データ格納部からソフトウェアアプリケーションを実行する。
ユーザインターフェースは、手動アクチュエータの１つ又は複数の作動モードを１つ又は複数の画像取込み制御パラメータにマッピングすることが可能であっても良い。
ユーザインターフェースは、例えばタッチスクリーンインターフェースのように、携帯用電子機器の画面に設けられても良い。
【００５９】
このようにして、１つ又は複数の手動アクチュエータが、例えば動作の写真モードを規定する等の、異なる個々の写真機能及び／又はパラメータ、又は複数の、もしくは一組の、パラメータに割り当て可能となる。
１つ又は複数の手動アクチュエータは、例えば人物、風景、スポーツ及び／又は動作、夜間等の、現在のカメラの動作モードの選択を可能にする。
【００６０】
（本発明の更なる態様）
本発明の更なる態様によると、付属品及び／又はハウジングの制御信号出力を受信し、携帯用電子機器の画像センサによる画像取込みを制御するための、携帯用電子機器のコントローラを操作するための機械可読な命令を備えるデータキャリアが提供される。
機械可読な命令は、付属品から携帯用電子機器の写真制御パラメータへの、手動アクチュエータ入力のマッピングを許可してもしなくても良い。
ある例では、機械可読な命令は、機能が１つ又は複数の手動アクチュエータを介して動作可能であり、その機能が携帯用電子機器のユーザインターフェース（例えばタッチスクリーン）を介して操作可能であるようなユーザカスタマイズが可能であっても良い。
【００６１】
（本発明の態様の展開）
本発明の上記の態様の何れか一つに関連し、本明細書に規定された１つ又は複数の選択的な特徴は、必要に応じて、個々に又はまとめて本発明の他の態様に適用されても良い。
本明細書における画像取込み又は写真についての如何なる言及も、静止画及び／又は個別画像の取込み、複数の静止画の取込み、及び／又は動画取込み又は動画撮影の何れか、又は何れかの組合せを包含することを意図している。
【００６２】
本発明の実用的な実施形態について、添付の図面を参照して以下に説明する。
【図面の簡単な説明】
【００６３】
【図１】本発明による取り外し可能なハウジング前面の斜視図である。
【図２】図１のハウジング後面の斜視図である。
【図３】図１のハウジング後面の斜視図であり、ケースの後ろハウジング部分を取り外した状態の斜視図である。
【図４】携帯電話と共に使用した時の図１のハウジング前面の斜視図である。
【図５】携帯電話と共に使用した時の図１のハウジング後面図である。
【発明を実施するための形態】
【００６４】
本発明は、例えば携帯電話、タブレット型コンピュータ、ポケットコンピュータ、携帯端末等の従来の携帯用電子機器が、携帯用カメラとしての機器の動作を可能とする画像取込みセンサ及び関連する電子機器を有する場合に、携帯用電子機器と共に動作するよう意図される。
その様な機器の詳細は当業者に公知であり、簡潔にするために本明細書では詳細に説明しない。しかし、その様な機器は通常、データ格納部、１つ又は複数のプロセッサ及びユーザインターフェースを備える。
ユーザインターフェースは通常、表示画面とユーザ入力機器を備え、それらはタッチセンサー式表示画面及び／又は物理的及び／又は機械的キー又はボタンを備えても良い。
機器は通常、オペレーティングシステムを実行し、機器の機能の様々な態様を制御するためのソフトウェアアプリケーション、即ち「ａｐｐ」のユーザのインストールを可能にする。機器のオペレーティングシステム及び／又はファームウェアは通常、ａｐｐを介して様々なハードウェア制御パラメータの制御を可能にするアプリケーション・プログラミング・インターフェース（ＡＰＩ）を備える。
この例では、ＡＰＩは機器のカメラ及びフラッシュの、ユーザがインストールした所定のａｐｐ制御を可能にするために設けられる。
【００６５】
本発明のハウジング、写真機器システム、及び付属品１０の概略が図１から図３に示される。
【００６６】
ハウジング、写真機器システム、及び付属品１０は第１のハウジング要素１２、第２のハウジング要素１４及び第３のハウジング要素１６を備える。
ある実施形態では、第１のハウジング要素１２及び第３のハウジング要素１６は単一の構造物及び／又はアセンブリとして結合されても、又は共に提示されても良い。
【００６７】
第１のハウジング要素１２は、大きな前面又は裏面の方向から見た場合、全体に矩形形状である。
ハウジング、写真機器システム、及び付属品１０の前面は、機器をカメラとして使用する際にユーザに背を向けた方向、即ち写真撮影する景色に向いた方向に規定される。よってハウジング、写真機器システム、及び付属品１０の裏面は通常、カメラ方式で保持する場合にユーザに対向する。
ハウジング、写真機器システム、及び付属品が３次元物体を規定するように、ハウジング、写真機器システム、及び付属品１０の横方向、右側左側、及び上面及び下面が規定され得る。
【００６８】
第１のハウジング要素１２の前面は、第１のハウジング要素１２からほぼ外方向及び／又は前方向に突出する把持部１８を画定する形状である。
把持部１８は、例えば全体に平坦、湾曲した、又は曲線である形状の前面を備え、湾曲した側端を有し、その結果把持部１８は使用時ユーザの指で把持され得る。よって第１のハウジング要素１２は、ユーザの手に快適に収まるよう、深さがハウジングの残りの部分より深い把持部を規定する。
【００６９】
この種類の把持部は、ハウジング、写真機器システム、及び付属品１０を片手で保持可能にし、一本又は複数本の指を使用してユーザ制御の作動も可能にする。
【００７０】
第１のハウジング要素１２は、ハウジング、写真機器システム、及び付属品１０の上面近くに後方向きレッジ２０を有する。
【００７１】
ユーザ制御入力手段は、この例では第１の回転輪２２、第２の回転輪２４及び第３の回転輪２６である手動アクチュエータと、押下げ可能なボタン２８を備える。
第１の回転輪２２及び第２の回転輪２４は、ハウジングの上面の、後方近くに取り付けられる。
第３の回転輪２６は、把持部１８の上部近くの前面側、又は上方に取り付けられる。
第３の回転輪は、ハウジングの最上部面の下方に位置する。
他の例では、一つ又は複数の回転輪がスライダによって交換されても良い。
【００７２】
第１のハウジング部分１２は更に、配置構造３０、ストラップ受容構造３２、凹部３４の形式のマウント受容構造及び電子機器ハウジング３６を備える。
例えばコントローラ、送信機及び／又はエミッタ、電源及び関連回路等の機器１０の電子部品は、把持部１８の内部の電子機器ハウジングキャビティ３６に取り付けられる。
【００７３】
後方向きレッジ２０は、第１のハウジング要素１２の上側領域において、第１のハウジング要素１２の残りの部分に対してほぼ垂直に延伸する。
後方向きレッジ２０の一部は、後方に延伸して閉鎖された角部２１を形成する。
第１の回転輪２２及び第２の回転輪２４は、後方向きレッジ２０の上面に形成された凹部に取り付けられ、その結果第１の回転輪２２及び第２の回転輪２４は後方向きレッジに対して回転できる。
第１の回転輪２２及び第２の回転輪２４のそれぞれはほぼ円筒形の形状であり、第１の回転輪２２及び第２の回転輪２４の湾曲面の少なくとも一部分が、後方向きレッジ２０に形成された凹部から後方に延伸するように取り付けられる。
第１の回転輪２２及び第２の回転輪２４の湾曲面は、ユーザの把持部分を形成するために刻み及び／又はざらつきがある。
【００７４】
第３の回転輪２６はほぼ円筒形の形状であり、第３の回転輪２６の湾曲面は刻み及び／又はざらつきがある。
第３の回転輪２６は部分的に把持部１８に埋め込まれ、その結果第３の回転輪２６の湾曲面のほんの一部が把持部２６から外側に延伸する。
第３の回転輪２６は、把持部１８に対して回転可能であり、且つ押下げ可能なように埋め込まれる。
追加の作動モードの提供が望ましい場合は、第１の回転輪と第２の回転輪の何れかが、例えば下方に押下げ可能でもある。
【００７５】
押下げ可能なボタン２８は第１のハウジング要素１２の上面に配置され、円形の形状である。
押下げ可能なボタン２８は、第１のハウジング要素１２に対して押下げ可能なように、第１のハウジング要素１２に部分的に埋め込まれる。
【００７６】
第１の回転輪２２、第２の回転輪２４、第３の回転輪２６、及び押下げ可能なボタン２８は、使用時に、機器により保持される携帯用電子機器との通信のための信号を制御する入力を提供する。
【００７７】
図３に示すように、配置構造３０は、例えばほぼ円筒形の形状等の、突起、ピン又はスタッドの形状を取り、第１のハウジング要素１２の後面から外側に突出する。
配置構造３０は、第２のハウジング要素の対応する配置凹部４１に受容されるような形状及び寸法を有する。
【００７８】
ストラップ受容構造３２はハウジングの開放端部に示されるが、他に機器の反対側の端部、例えばハウジング及び／又は携帯電話の閉鎖及び／又は把持部が端部に設けられても良い。
ストラップ受容構造３２を開放端部に配置することは、機器１０を重力によりストラップからぶら下げた時に閉鎖端部が最下方にあることを意味し、有利である。
ストラップ受容構造３２は、従来のひもが通過できる凹部又は突起を備え得る。
この例では、ストラップ受容構造３２はハウジング本体の中にあるが、さらに望ましくは、他にハウジングの側壁から外側に突出しても良い。
ストラップ受容構造３２は、ストラップがストラップ受容構造３２の周りで輪にできるように通り穴を有する。
【００７９】
マウント受容凹部３４はホットシューマウントを受容する形状及び寸法であり、使用時に１つ又は複数のレンズ又は光源、即ちフラッシュ等の補助的な写真部品をハウジング、写真機器システム、及び付属品１０に結合するのに使用され得る。
図１から図３に示されないが、マウント受容凹部３４は、補助的機器が電源供給される又は付属品により制御されるような電気的コネクタを備えていても良い。
【００８０】
ハウジング３６は中空の、開放可能な筐体である。その結果、例えば無線の信号送信機及び／又はエミッタ及び／又は受信機を備える適切な電子部品がハウジング３６の中に受容され得る。
【００８１】
第２のハウジング要素１４は、平坦な壁４０、後方向きレッジ４２、及び側壁４４を有する。
第２のハウジング要素１４は、第１のハウジング要素１２及び第３のハウジング要素１６の中に部分的に受容される形状及び寸法を有する。
図３に示すように、平坦な壁４０は配置凹部４１を備える。
配置凹部４１は細長い形状且つ湾曲した端部を有し、スロット又は細長い窓の形状である。
配置凹部４１の幅は配置構造３０の寸法にほぼ対応するが、配置凹部４１の長さは配置構造３０の直径より大きい。よって配置構造３０は配置凹部４１に沿って移動可能であり、その結果第１のハウジング要素１２及び第２のハウジング要素１４は互いに対して摺動可能である。
【００８２】
ばね、ゴムひも又は伸縮部材、又は他の弾性部材が、これらの部材が互いに付勢するように第１のハウジング部材１２及び第２のハウジング部材１４の間に設けられても良い。その様な付勢部材は通常、ハウジングの内部に設けられる。
弾性部材の対向する端部は通常、対向するハウジング部分１２及び１４に接続される。
【００８３】
後方向きレッジ４２は平坦な壁４０の下方領域から垂直に延伸し、機器１０が組み立てられた時、第１のハウジング要素１２の後方向きレッジ２０の最後端部及び第２のハウジング要素の後方向きレッジ４２の最後端部がほぼ整列するような距離だけ延伸する。
後方向きレッジ４２は直立した保持構造４６を有する。
直立した保持構造４６はほぼ細長い形状であり、その結果直立した保持構造４６及び平坦な壁４０は携帯用電子機器を受容する溝を規定する。
直立した保持構造は、縁又は低い壁部分という意味で規定され得る。
【００８４】
側壁４４は平坦な壁４０と後方向きレッジ４２の両方に対し垂直に延伸し、その結果平坦な壁４０、後方向きレッジ４２及び側壁４４の組合せは第２のハウジング要素１４の角部を規定する。
【００８５】
第３のハウジング要素１６は第１のハウジング要素１２の後面に嵌合し、部分的に第２のハウジング要素１４を覆う形状及び寸法を有する挿入部である。
第３のハウジング要素１６は、平坦な壁４８、後方向きレッジ５０、及び側壁５２を備える。
平坦な壁５２は、電子機器ハウジング３６を受容する形状及び寸法である凹部を有し、その結果電子機器ハウジング３６の後壁は平坦な壁４８とほぼ面一に位置する。
平坦な壁４８は、ハウジング、写真機器システム、及び付属品１０が組み立てられる時、配置構造３０の上部に位置する。
【００８６】
後方向きレッジ５０は平坦な壁４８の上部領域に対し垂直に延伸し、第１のハウジング要素１２の後方向きレッジ２０の下に嵌合する形状及び寸法である。
後方向きレッジ５０は直立した保持構造５４を有する。
直立した保持構造５４はほぼ細長い形状であり、その結果直立した保持構造５４及び平坦な壁４８は携帯用電子機器を受容する溝を規定する。
【００８７】
側壁５２は、
第３のハウジング要素１６の平坦な壁４８及び後方向きレッジ５０に対し垂直に延伸し、
第２のハウジング要素１４の後方向きレッジ４２に対し垂直に延伸する。
【００８８】
よって以下の要素の組合せは、使用時の携帯用電子機器を受容するハウジングを規定する。
第３のハウジング要素１６の平坦な壁４８、後方向きレッジ５０、直立した保持構造５４及び側壁５２、及び第２のハウジング要素４６の平坦な壁４０、後方向きレッジ４２及び直立した保持構造４６。
【００８９】
第３のハウジング要素１６の側壁５２と反対側のハウジングの端部は開放されており、その結果携帯用電子機器は使用時、ハウジング内に摺動可能である。
第３のハウジング要素１６の平坦な壁４８及び直立した保持構造５４により規定される溝は、第２のハウジング要素１４の平坦な壁４０及び直立した保持構造４６により規定される溝と対向し、その結果携帯用電子機器の側面はそれらの溝により保持される。
【００９０】
携帯用電子機器５６と共に使用される機器１０が図４及び図５に示される。
ハウジングは、携帯用電子機器５６の少なくとも一部分を使用時に受容するから、機器１０から外側に延伸するようになっている。特に、カメラレンズ及び／又はモジュール５８、及び選択的にフラッシュ及び／又は光源６０を備える携帯用電子機器５６の一部分は、ハウジングから外側に延伸する。
第１のハウジング要素１２及び第２のハウジング要素１４は互いに移動でき、配置凹部４１の中の配置構造３０の移動を介してハウジングの大きさを増加及び／又は減少させる。
【００９１】
よって第１のハウジング部分１２及び第２のハウジング部分１４は、そこに挿入された機器５６と精密に嵌合されるように手動、又は弾性の付勢力により（例えば自動的に）閉じることができる。
機器及び／又はハウジングの後面及び／又は機器に対するハウジングの他の壁又は表面はざらつきのある表面又は摩擦を高める材料を備えても良い。
【００９２】
ハウジングの閉鎖可能な性質は、異なる機種の携帯電子機器がハウジング、写真機器システム、及び付属品１０に収容され、しっかりと保持されることを可能にする点で特に重要である。
このことはまた、従来の保護ケースを電話から取り外す必要なしに、携帯電話がハウジング、写真機器システム、及び付属品１０に収容されることを可能にする。
【００９３】
ハウジング、写真機器システム、及び付属品１０は、通常、携帯電話の端部に向かって設けられたカメラのレンズが、電話がハウジング、写真機器システム、及び付属品１０に十分に挿入された時でも露出するように、最も広く市販されている携帯電話よりも十分に短い長さになるよう選択することにより、本質的にユニバーサルに設計できる。
他の例では、側壁５２は、必要な場合に特定の電話形状に適合するように筐体の長さを修正するような調節がなされ得る。
【００９４】
図５において、電話をかけている話者及び／又はマイクロホン開口の妨害及び／又は消音を回避するため、選択的な開口６２が側壁４４の例えば側面及び後面に設けられる。
よって、１つ又は複数の開口６２は空気が対応する電話開口を通過できるように後壁に設けられても良い。
連続した開口が様々な電話機種に適合するように設けられても良い。
【００９５】
以下に記載するハウジング、写真機器システム、及び付属品１０の例において、付属品は、可聴性に優れた、又は亜超音速及び／又は亜超音波の範囲の、可変の周波数で音響信号を放出するようになされた音響エミッタを備える。
出願人らは、こうすると無線信号を介したデータの送信による機能の実行を必要とせずに、適切で簡単且つ反応の良い制御信号配列を提供出来ることを見出した。
このプロセスは、時間がかかるために写真撮影者に問題となる、例えばブルートゥース（登録商標）等の従来の無線通信技術で必要とされる、機器をペアリングする必要性などを回避できる。
【００９６】
しかし、必要な場合は、本発明の他の例においても無線信号伝送が追加又は代替手段として設けられ得る。
例えばブルートゥース（登録商標）等の短距離の極超短波無線信号基準が、例えば個々のアクチュエータに機能を割り当てる、又は通信状況や他の情報をユーザに割り当てる等のプロセスが必要な場合に、ハウジング、写真機器システム、及び付属品１０と機器５６とのデータ通信を実行するために使用されても良い。
従ってデータ信号は、特に双方向通信を行うために、機器５６とハウジング、写真機器システム、及び付属品１０との間のある種の情報の通信に使用され得る。
一方、音響信号は単純な写真の制御指示のために使用され得る。
【００９７】
尚、回転輪２２、２４、及び２６は双方向の制御機能を提供し、よって少なくとも２つの制御入力モードを提供する。
ボタンは少なくとも２つのレベルの押下げ機能を提供し、よって少なくとも２つの入力モードを提供する。
従って、以上を組み合わせることにより、４つの手動のアクチュエータが８つ以上の入力モードを提供出来る。
【００９８】
各入力モードには１つ又は複数の音響信号周波数が割り当てられ、その結果関連する入力モードがユーザにより作動されると、エミッタは対応する音響周波数で１つ又は複数の音響信号を出力する。
異なる入力の周波数は、各周波数が携帯電話５６の中の従来のマイクロホンにより容易に識別できるように、それらの間に間隔をおいて割り当てられる。
各アクチュエータ又は作動モードが使用可能な周波数範囲は、必要に応じて結合されても良い。
【００９９】
ある例では、２つ以上の周波数を各作動モードに割り当てるのが望ましく、その結果信号放出は連続した２つ以上の周波数（トーン）を備える。
よって携帯電話のカメラアプリケーションは、両方の信号要素が、適切な、近接した、連続状態において受容される場合に限り、命令を認識するであろう。
これは、機器を偶然に作動させる周囲の音（放出された信号ではなく）に機器が反応する可能性を回避する助けとなり得る。
【０１００】
この例では、１６から１９ｋＨｚの間の最低の周波数が選択され、１９から２１ｋＨｚの間の最高の周波数が選択され、個々の選択されたモードの周波数は選択された範囲に亘ってほぼ均等に間隔を有することが出来る。
値の未使用の周波数範囲は、追加の機能又は補助的機器のために蓄えられても良い。
他の例では、範囲は１０ｋＨｚから３０ｋＨｚの間のどこでも良い。
【０１０１】
使用された周波数は５０Ｈｚ、１００Ｈｚ、１５０Ｈｚ、２００Ｈｚ、２５０Ｈｚ又は３００Ｈｚまでの、又はそれらと同じ段階の間隔を有しても良い。
その様な範囲内の中間値は、携帯用の機器のマイクロホンを使用して達成され得る再現性の認識の分解能に応じて選択され得る。
【０１０２】
特注のソフトウェアアプリケーションは、本発明の例における機器５６に以下の目的で設置される。
（ｉ）マイクロホンを介して受容される写真制御指示の判断及び実行を可能にする。
（ｉｉ）追加のカメラ機能、設定、又は画像処理のユーザ制御を可能にする画面上のユーザインターフェースを提供する。
（ｉｉｉ）付属品のそれぞれの個々の手動アクチュエータ又は作動モードへの特注の機能の割り当てを可能にする。
【０１０３】
各アクチュエータへの機能マッピングは、個々のユーザの好みに対する付属品のカスタマイズを可能にする。
カメラの機能、設定、又はパラメータが割り当てられても良い。
ある例では、個々のカメラモードオプションがカスタマイズされてアクチュエータ及び／又は回転輪に個々に割り当てられても良い。
機器５６の画面上のユーザインターフェースを使用することにより、ハウジング、写真機器システム、及び付属品１０と機器画面の間に設けられた機能（例えば最も頻繁に使用されるもの、又は迅速なアクセスが付属品アクチュエータに割り当てられるのに必要であるもの）の分割の更なる選択を可能にする。
画面上のタッチ制御は、機能を選択する間に画面に表示された画像の部分をユーザが分かりにくくしてしまうため、しばしば問題を有する。
機能を選択又は写真を撮ろうとする際に、周辺端部で携帯電話を把持するのは不自然で、人間工学的に適切でない位置でもある。これは携帯電話の落下につながるため、通常両手での操作を必要とする。
対照的に本発明は、追加の（例えばプロの）写真撮影機能を、より人間工学的な及びより迅速にアクセス可能な方法での使用を可能にする。
【０１０４】
図４及び図５に示すように、使用の例において、ユーザは携帯電話５６をハウジング、写真機器システム、及び付属品１０に挿入する。
これは電話を付属品に長手方向に挿入し、又は電話をハウジングの凹部に位置決めし、ハウジング部分を閉じて電話の端部を係合させることにより、行われ得る。
【０１０５】
携帯電話５６で操作する写真ソフトウェアアプリケーションは、マイクロホンで感知された適切なトーンを聞いて、音響信号のトーン及び／又は周波数を判断することにより、どの手動アクチュエータがどんな方法でユーザにより作動されたかを判断する。
【０１０６】
ソフトウェアアプリケーションは、写真を撮影又は画像を記録する写真の設定について、対応する調節を行う。
ユーザが１つの回転輪を使用して写真モードを調節する場合は、選択されたカメラモードを実行するため、ソフトウェアアプリケーションは多数の関連するパラメータ又は設定を調節可能である。
ソフトウェアアプリケーションはＩＳＯ優先、速度優先、手動調節ＩＳＯ及び速度、降雪モード、夜景モード、スポーツモード、風景モード等への変更を実行できる。
【０１０７】
更なる回転輪の手動での作動は、露出補償、又は暗所及び／又は明所の画像取込み調節を提供出来る。例えば、回転輪は写真を暗くするため反時計回りに回転でき、明るくするために時計回りに回転できるように設定できるが、その逆でも良い。
【０１０８】
携帯電話５６の表示画面６４は、設定の調節が画面で見られるように画像センサにより現在取り込んだ景色を表示できる。それにより、ユーザが現在の画像を評価し、それに応じて調節出来るようにする。
【０１０９】
更なる回転輪がズーム又はフォーカス調節に使用され得る。
手動のフォーカス及び／又は露出制御は、携帯電話で既存のタッチスクリーン制御を使用して実行するに際し、使いにくいものであった２つの特定の機能である。
【０１１０】
画面の画像がユーザに受け入れられると、押下げ可能なボタン（シャッターボタン）２８が部分的に押下げされて、現在のフォーカス設定及び／又は露出設定をロック出来る。
続いて押下げ可能なボタン（シャッターボタン）２８を完全に押下げすると、画像を取り込む。
一たん取り込むと、画像は携帯電話の画面でユーザに対し表示され、よって必要な場合、取り込んだ後に画像を更に編集出来る。
携帯電話が既に取り込んだ画像を表示するモードでは、手動のアクチュエータは予め設定可能な、例えば画像取込みの前の対応する機能に似た、又はユーザによりカスタマイズ可能な、画像編集機能を有していても良い。
他の例では、更なる画像を取り込み可能にするため、画像は後の再考及び／又は編集のために、単に記憶されていても良い。
【０１１１】
以下の表は、異なるモードのカメラ動作において可能とされる、例えば以下のような様々な機能を示している。
・ＩＳＯ優先
・画像露出速度及び／又は継続時間（即ち、いわゆるシャッター速度）
・上記の機能の両方を手動で制御できること
・スポーツモード（所与の条件での速度を最大にする）
・人物モード（通常よりやや早い速度）
・降雪モード（絞りにより対象を露出する）
・風景モード（カメラのぶれを無くそうとするためシャッター速度を速くしてＩＳＯを増加させる）
・夜景モード（露出を増加させ、３つの絞りを過度に露出させて、星が見えるようにする）
【０１１２】
【表１】
2019515518.tif 000003
【０１１３】
【表２】
2019515518.tif 000004
【０１１４】
上記の回転輪２２、２４、２６及びボタン２８の最初の機能は以下のように設定され得る。
・シャッターボタン：フォーカスロック、露出ロック、写真撮影。
・回転輪１：暗所から明所への露出補償。
・回転輪２：あらかじめ設定されたモード選択（自動のスポーツ、風景、手動、接写等）。
・回転輪３及び／又は回転：ズーム。
・回転輪３押下げ：携帯電話のカメラを反転させる「自撮り」モード又はスイッチ。
【０１１５】
異なる実施形態において、回転輪の機能の何れかがユーザにより調節可能である。
回転輪１及び／又は２（即ち、図１の回転輪２２及び２４）は特に、ユーザが頻繁に使用する特定の写真のオプションのユーザが規定する事前設定、又はユーザによる選択を許容するように用いられると考えられる。
【０１１６】
本発明では、本明細書に記載される写真ソフトウェアアプリケーションを介して、ユーザにアクセス可能なカメラ機能を有する携帯機器に加え、以下の機能の何れか、その組み合わせ、又は全てが実行可能である。
・シャッターボタンを半押ししてフォーカスする。
・シャッターボタンを半押しして露出ロックする。
・完全に押下げて写真撮影する。
・自動、白熱電球、太陽光、曇り等のホワイトバランスの設定の使用、選択及び回転切替。
・外側の回転輪で露出補償する（Ｆストップのマーク）。
・フラッシュのオン（フルパワー）、オフ、自動が調節される。
・ピント位置、スポットライト、重心、平均値が可動点と共に画面の録画により調節される。
・６０分の１秒以下のシャッター速度において光量が低すぎるという記号が現れる
・私どものハードウェアに、ブルートゥース（登録商標）を介して、ホワイトバランス等の調節可能な特徴を外部ボタンの１つに設定可能とする。
・画面の露出及びフォーカスロックボタン。
・スマートフォンのフィルタ及び／又は既製品のフィルタに基づき、フィルタ及びフィルムの種類を変更できる。
・あらゆるＪＰＥＧファイル及びＴｉｆｆとして保存できる。
・送電線網の使用、不使用、及び様々な形状の三分割法等。
・電池残量。
・位置情報の表示、非表示。
・回転輪により写真ライブラリの切り替えを可能にする。
・手動フォーカスのためのフォーカスバー。
・外側の回転輪にズームピンチ方法を加える。
・シャッター優先、ＩＳＯ優先、手動、自動の機能。
・柱状グラフが画面に現れる、又は消える。
・＋及び／又は−１絞り又は１及び／又は２絞りの露出ブラケット。
・更新及び／又は追加の機能のａｐｐ内の購入。
【０１１７】
上記の機能、モード及び／又は設定の何れかの調節は、例えば文章、アイコン、又は画像調節を通して、表示画面６４に対応するように表示を行うことが出来る。
【０１１８】
ハウジング、写真機器システム、及び付属品１０と機器のハードウェア及び／又はＡＰＩとのインターフェースを可能にするために、ソフトウェアアプリケーションが携帯機器５６にタウンロードされても良い。
ａｐｐは、例えば特定の画像取込み機能及び／又は画像及び／又は動画編集機能の調節のための画面上のボタンを提供する等の、特注の写真のユーザインターフェースを表示画面６４に提供しても良い。
【０１１９】
一たん画像が取り込まれると、１つ又は複数の回転輪が画像再考及び／又は編集モードで動作でき、それにより画像取込みの間使用される機能に対し異なる機能が提供される。例えば、ユーザが取り込んだ画像を通して容易にスキャン可能なように、１つの回転輪にスクロール機能が割り当てられても良い。
【０１２０】
本発明の更なる発展において、携帯機器のＧＰＳ又は他の位置感知システムにアクセスすることが提案され得る。これは画像又は動画の位置を記録することに使用できる。
付加的又は代替的に、位置は画像取込み又は修正設定を修正するのに使用されても良い。例えば設定は国、地域又は他の地理的表示に応じて変更されても良い。これは特定の国又は地域の視覚的偏好を自動的に考慮に入れて使用され得る。
ある西洋の国々では人物画像に暖かみ効果を加えることが一般に好まれる。一方、他の国々では、被写対象を明るくすることが一般に好まれる。この好みの傾向、及び、その他の一般的傾向は、ソフトウェアアプリケーションにプログラムして反映させることが出来、その結果世界の異なる地域に対応可能な写真システムを提供出来る。
【符号の説明】
【０１２１】
１０              ハウジング、写真機器システム、及び付属品
１２              第１のハウジング要素
１４              第２のハウジング要素
１６              第３のハウジング要素
１８              把持部
２０、４２、５０  後方向きレッジ
２２              第１の回転輪
２４              第２の回転輪
２６              第３の回転輪
２８              押下げ可能なボタン又はシャッターボタン
３０              配置構造
３２              ストラップ受容構造
３４              凹部
３６              電子機器ハウジング
３８              電子機器ハウジングキャビティ
４０、４８        平坦な壁
４１              配置凹部
４４、５２        側壁
４６、５４        直立した保持構造
５６              携帯用電子機器
５８              レンズ及び／又はモジュール
６０              フラッシュ及び／又は光源
６２              選択的な開口
６４              表示画面
【図１】
2019515518.tif 000005
【図２】
2019515518.tif 000006
【図３】
2019515518.tif 000007
【図４】
2019515518.tif 000008
【図５】
2019515518.tif 000009
【国際調査報告】
2019515518.tif 000010
2019515518.tif 000011
2019515518.tif 000012
2019515518.tif 000013
2019515518.tif 000014